(57)【要約】      （修正有）【課題】汗を吸い取る優れた吸湿性と保温効果を具え、軽量で静電気の発生を防ぐ織物を提供する。【解決手段】汗を吸い取る吸湿性を具えた第１層１０と、吸湿性、保温性及び瀞電気防止効果を具えた第２層２０と、吸水性、通気性を具えた第３層との3層３０からなり、汗を吸いとる吸湿性により着用者の体を乾燥した心地よい状態に保ち、着用者の体温を―定に保つ保温性を具えた構造からなる。【選択図】図１
0003124833.tif 000002
【実用新案登録請求の範囲】
【請求項１】
汗を吸い取る吸湿性を具えた第１層と、
吸湿性、保温性及び瀞電気防止効果を具えた第2層と、
吸水性、通気性を具えた第3層との3層からなり、汗を吸いとる吸湿性により着用者の体を乾燥した心地よい状態に保ち、着用者の体温を―定に保つ保温性を具えた構造からなることを特徴とする織物。
【請求項２】
前記第1層が極細繊維からなることを特徴とする請求項1に記載の織物。
【請求項３】
前記第2層が金属の糸と極細繊維を結合してなることを特徴とする請求項1に記載の織物。
【請求項４】
前記第3層が綿を1００％使用した糸からなることを特徴とする織物。
【請求項５】
前記第3層が金属の糸を含んでなることを特徴とする請求項4に記載の織物。
【考案の詳細な説明】
【技術分野】
【０００１】
この考案は、織物に関し、特に服などを製作するための織物に関する。
【背景技術】
【０００２】
従来の綿を1００％使用の織物から形成した製品は、吸水性に優れているが、通気性が悪い。このため、長時間着用していると、製品全体が湿気を帯びた状態になり、着用者が不快を感じる。よって、長時間運動する場合や、大量の汗をかくような激しい運動をする場合の着用には適さない。また、該綿を１００％使用した糸からなる織物から形成したセーターやコートなどの製品は、保温効果を具えているが、生地が厚く、重量が重いため、体を動かすのに不便で活動する場合に不便である。その後、化繊の綿織物が市場で販売され、綿を１００％使用した織物からなる製品の厚さ、重量及び活動性の問題を改善した。しかしながら、化繊織物は静電気が発生しやすく、特に寒さが厳しい区域では静電気が頻繁に発生する。
【０００３】
技術は進歩してきたが、綿を1００％使用した織物は着心地の良さ、取扱いの便利さ、もしくは保温効果の上で、着用者の要求を完全に、満たすことができない。このため、汗を吸い取り外部に放出する吸湿性、防水性、通気性に優れた新しい織物が次々と開発された。これらの新しい織物は保温効果の上では綿を1００％使用した織物には及ばないが、綿を1００％使用した織物は価格が高いため、化学繊織から形成した織物が市場で普及してきた。
【０００４】
しかしながら、化学繊維の織物から形成したセーターやコートなどは、着用していると、製品に毛玉ができ易く、燃焼し易いだけでなく、寒さの厳しい区域では、容易に大量の静電気が発生するため、着用者に不，央感を与える。
また、静電気が体に溜まると人体の電気のバランスが崩れ、健康に影響を与えることになり、甚だしくは着用者
に免疫力の低下を招く。
【０００５】
製品の実用性を上昇させるためには製品の付加価値を研究開発するだけでなく、基本的な機能を具えていることも忘れてはならない。実用性及び利用価値を高め、優れた性能を具えた織物を形成して、消費者の注目を引くことが業者が製品を改良する上での重要な目標である。
【考案の開示】
【考案が解決しようとする課題】
【０００６】
この考案は、汗を吸い取る優れた吸湿性と保温効果を具え、軽量で静電気の発生を防ぐ織物を提供することを 課題とする。
【課題を解決するための手段】
【０００７】
そこで本発明者は、従来の技術に鑑み鋭意研究を重ねた結果、汗を吸い取る吸湿性を具えた第1層と、吸湿性、保温性及び静電気防止効果を具えた第2層と、吸水性、通気性を具えた第3層との3層からなり、汗を吸いとる吸湿性により着用者の体を乾燥した心地よい状態に保ち、着用者の体温を―定に保つ保温性を具えた構造によって課題を解決できる点に着眼し、係る知見に基づき本発明を完成させた。
以下;この発明について具体的に説明する。
【０００８】
請求項1に記載の織物は、汗を吸い取る吸湿性を具えた第1層と、吸湿性、保温性及び静電気防止効果を具えた第2層と、吸水性、通気性を具えた第3層との3層からなり、汗を吸いとる吸湿性により着用者の体を乾燥した心地よい状熊に保ち、着用者の体温を―定に保つ保温性を具えた構造からなる。
【０００９】
請求項2に記載の織物は、請求項1における第1層が極細繊維からなる。
【００１０】
請求項3に記載の織物は、請求項1における第2層が金属の糸と極細繊維を結合してなる。
【００１１】
請求項4に記載の織物は、請求項4における第3層が綿を1００％使用した糸からなる。
【００１２】
請求項5に記載の織物は、請求項4における第3層が金属の糸を含んでなる。
【考案の効果】
【００１３】
この考案の織物は、柔軟で決適さを具えているため、運動に適し、抗菌などの効果を有する。
【考案を実施するための最良の形態】
【００１４】
この考案は、汗を吸い取る優れた吸湿性と保温効果を具え、軽量で静電気の発生を防ぐ織物であって、汗を吸い取る吸湿性を具えた第1層と、吸湿性、保温性及び静電気防止効果を具えた第2層と、吸水性、通気性を具えた第3層との3層からなり、汗を吸いとる吸湿性により着用者の体を乾燥した心地よい状態に保ち、着用者の体温を―定に保つ保温性を具えた構造からなる。
係る構成の織物について、その構造と特徴を詳述するために具体的な実施例を挙げ、以下に説明する。
【実施例】
【００１５】
図1は、この考案の織物を開示したものである。図面によれば、織物は3層から形成される。第1層1０は、吸湿性を具えた極細の繊維からなり、糸の細さが０．０１ｄに達し、柔軟性、快適さ、通気性を具えてなる。
【００１６】
第2層2０は、保温性を具え、且つ静電気が発生しにくい金属の糸と、吸湿性を具えた極細繊維と結合して形成する。該金属の糸はこの考案の出願人が研究開発した製品であり、ダイヤモンドで研磨して極細の状態に形成した後、天然繊維(天然もしくは人造の繊維)と結合して天然繊維が極細の金属の糸の外側を被覆し、繊維の直径が０．０２８ｍｍ〜０．０４ｍｍになるように形成されたものである。よって、極細の金属の糸の強度は綿を1００％使用した糸よりも強いため、製品が摩擦に強く、製品の使用寿命が延長されるとともに、自然繊維の柔軟性や快適さも具えている。
【００１７】
第3層30は、吸水性、通気性を具えた綿を1００％使用した糸から形成する。このため、この考案の織物を下着、セーターもしくはコートなど様々な形態に形成する場合、第1層1０が極細繊維からなるため、皮膚表面の余分な水分を完全に吸水する。その後、温度（体温)を具えた水の分子が第2層2０を通過する場合、金属の糸の保温性と極細繊維の吸湿性の性質を受けて、水の分子が第3層30が綿を１００％使用した糸から形成した材質により全て吸収され、外部に排出されるが、温度(体温)は遮断され、第2層2０と体との間に残される。
よって、この考案の織物から形成された製品を着用すると、金属線が静電気を排除し、抗菌効果を具えているだけでなく、体の乾燥を保ち、快適さを維持できるとともに、体温を同じ状態に保つことができ、織物の優れた吸湿性や保温性を大幅に上昇させた。
【００１８】
また、この考案の織物はシワになりにくく、第3層3０に綿を1００％使用した糸に金属線を加えた混合繊維(図2参照)から形成する。金属製の糸は綿の糸に比べて硬いため、シワになりにくく、美観を保つ効果を具えてなる。
【００１９】
上述のように、この考案は、保温及び吸湿性を具えた織物であって、3層から形成する。優れた吸湿性を具えた極細繊維から形成する第1層と、保温効果を具えた金属の糸と前述の極細繊維を結合して形成した第2層と、吸水性に優れた綿を1００％使用した糸から形成した第3層とを含んでなる。このため、セーターやコートなどに形成する場合、生地が厚く、重いため好ましい活動性が得られないということがなく、同時に、第2層が金属の糸と極細繊維から形成されるため、有効に温度(体温)を残して、水の分子のみを通過させて、着用者の体を乾燥した状態に保ち、快適さを維持し、着用者の体温を―定に保つことができる。よって、優れた吸湿性と保温の効果を得られる。
【００２０】
また、綿を1００％使用した糸から形成する第3層は、製品の柔軟性、余分な水分を吸収し、着用者の体を完全に乾燥し、快適な状態に維持する。
【００２１】
さらに、金属の糸は織物の安全性に対する需要を高め、燃焼性を抑え、着用時に燃焼するなどの危険性を徹底的に排除する。
【００２２】
この考案の織物は、従来の織物の柔軟性、快適さ、軽便さ及び保温性などの効果を具えているだけでなく。静電気の発生を抑え、抗菌性をも具えている。特に吸湿性(着用者の体を乾燥し、快適な状態に維持する)や保温性(着用者の体温を―定に維持する)などの効果は、従来の織物を大幅に上回っている。
【００２３】
以上は、この考案の好ましい実施例であって、この考案の実施の範囲を限定するものではない。よって、当業者のなし得る修正、もしくは変更であって、この発明の精神の下においてなされ、この発明に対して均等の効果を有するものは、いずれもこの考案の実用新案請求の範囲に属するものとする。
【図面の簡単な説明】
【００２４】
【図１】考案の実施例を示した部分拡大図である。
【図２】考案の他の実施例を示した部分拡大図である。
【符号の説明】
【００２５】
10  第1層
20  第2層
30  第3層
【図１】
0003124833.tif 000003
【図２】
0003124833.tif 000004